(57)【要約】【課題】  配電盤などに配設されているランプを新しいランプと交換する際に、交換作業を効率良く行うことができるランプ交換器具を提供する。【解決手段】  ランプＬを収納する略筒状の器具本体２の先端側に、ランプＬの頭部Ｌ１を把持する先端部２ｂが設けられ、器具本体２内に収納されたランプＬを軸方向に押し出すスライダ３を備えている。古いランプＬの頭部Ｌ１を先端部２ｂで把持した状態で器具本体２を回すと、古いランプＬが外れる。また、器具本体２内に収納された新しいランプＬをスライダ３によって先端側に押し出すと、新しいランプＬの頭部Ｌ１が先端部２ｂによって把持され、この状態で器具本体２を回すと、新しいランプＬが取り付けられる。【選択図】  図１
2008004509.tif 000002
【特許請求の範囲】
【請求項１】
ランプを収納する略筒状の器具本体の先端側に、ランプの頭部を把持する把持手段が設けられていることを特徴とするランプ交換器具。
【請求項２】
ランプが前記器具本体の軸方向に沿って収納されるように前記器具本体が形成され、この器具本体内に収納されたランプを前記軸方向に押し出す押出手段を備え、前記器具本体内に収納されたランプを前記押出手段によって前記先端側に押し出すと、前記ランプの頭部が前記把持手段によって把持されることを特徴とする請求項１に記載のランプ交換器具。
【請求項３】
前記器具本体の後端側に開口部が設けられ、この開口部からランプを前記器具本体内に収納可能であることを特徴とする請求項１または２に記載のランプ交換器具。
【発明の詳細な説明】
【技術分野】
【０００１】
本発明は、配電盤などに配設されているランプ（電球）を交換する際に使用するランプ交換器具に関する。
【背景技術】
【０００２】
例えば、配電盤には、配電盤内の各機器の状態を表示するなどのために、ランプが配設されている（例えば、特許文献１参照。）。このようなランプには、ランプの頭部（球体部）のみが配電盤の板面から突出した状態で配設され、しかも、隣接するランプとの間が狭いものがある。このため、人の指先でランプをつまんでランプを取り外し、または取り付けることが困難な場合がある。そして、このような場合のために、図１１に示すようなランプ交換器具１００が知られている。
【０００３】
このランプ交換器具１００は、円柱状のグリップ１０１の先端部に、断面が円弧状の第１挟持部１０２と第２挟持部１０３とが略円筒形を形成するように配設されている。また、操作板１０４の操作孔１０４ａに第１挟持部１０２と第２挟持部１０３とが挿入され、この操作板１０４のレバー部１０４ｂが、一端がグリップ１０１に取り付けられたバネ１０５によって上方（第１挟持部１０２と第２挟持部１０３とが開く方向）に押圧されている。そして、操作板１０４のレバー部１０４ｂが上方に押圧されている状態で、第１挟持部１０２と第２挟持部１０３との先端部にランプＬの頭部Ｌ１を挿入し、レバー部１０４ｂを下方に押すと、操作板１０４の操作孔１０４ａが移動して第１挟持部１０２と第２挟持部１０３との間が狭まる。これにより、図１２に示すように、第１挟持部１０２と第２挟持部１０３との先端部によってランプＬの頭部Ｌ１が挟持（把持）される。この状態でランプ交換器具１００を回すと、ランプＬも回り、ランプＬが配電盤Ｈなどから外れる。また、新しいランプを配電盤Ｈなどに取り付けるには、上記の取り外し手順と逆の操作をすればよい。すなわち、第１挟持部１０２と第２挟持部１０３との先端部によってランプＬの頭部Ｌ１を把持した状態で、ランプＬのネジ部Ｌ２を配電盤Ｈなどのネジ部（雌ネジ部）に挿入し、ランプ交換器具１００を回すと、ランプＬも回り、ランプＬが配電盤Ｈなどに取り付けられる（ねじ込まれる）、というものである。
【特許文献１】特開平９−２９８８２９号公報
【発明の開示】
【発明が解決しようとする課題】
【０００４】
ところで、ランプが寿命に到達すると新しいランプと交換する必要がある。このため、ランプが寿命に到達したこと（ランプ切れ）を発見した際に、すぐにランプを新しいランプと交換できるように、上記のようなランプ交換器具と新しいランプとを常に携帯しておくことが望ましい。しかし、新しいランプや取り外した古いランプを作業者の作業着のポケットなどに入れておくと、かさばって作業がしづらいのみではなく、ランプが割れてしまうおそれがある。このため、上記のようなランプ交換器具のみを作業者が携帯し、新しいランプは車内などの別の場所に置いておき、点検の際に寿命が到達したランプ（古いランプ）を発見した場合には、ランプ交換器具で古いランプをまずは取り外す。そして、車内などまで新しいランプを取りに行き、再び配電盤などに戻って新しいランプをランプ交換器具で取り付ける、という作業が実務的に行われており、作業効率が悪かった。
【０００５】
そこで本発明は、配電盤などに配設されているランプを新しいランプと交換する際に、交換作業を効率良く行うことができるランプ交換器具を提供することを目的とする。
【課題を解決するための手段】
【０００６】
上記目的を達成するために請求項１に記載の発明は、ランプを収納する略筒状の器具本体の先端側に、ランプの頭部を把持する把持手段が設けられていることを特徴としている。
（作用）
古いランプの頭部を把持手段で把持して器具本体を操作する（回す）ことで、古いランプを配電盤などから取り外せる。また、新しいランプを器具本体内に収納しておき、必要に応じて器具本体内から新しいランプを取り出し、新しいランプの頭部を把持手段で把持して器具本体を操作することで、新しいランプを配電盤などに取り付けられる。
【０００７】
請求項２に記載の発明は、請求項１に記載のランプ交換器具において、ランプが前記器具本体の軸方向に沿って収納されるように前記器具本体が形成され、この器具本体内に収納されたランプを前記軸方向に押し出す押出手段を備え、前記器具本体内に収納されたランプを前記押出手段によって前記先端側に押し出すと、前記ランプの頭部が前記把持手段によって把持されることを特徴としている。
（作用）
新しいランプを器具本体内に収納しておき、押出手段によって新しいランプを先端側に押し出すと、新しいランプの頭部が把持手段によって把持される。この状態で器具本体を操作することで、新しいランプを配電盤などに取り付けられる。
【０００８】
請求項３に記載の発明は、請求項１または２に記載のランプ交換器具において、前記器具本体の後端側に開口部が設けられ、この開口部からランプを前記器具本体内に収納可能であることを特徴としている。
（作用）
配電盤などから取り外した古いランプや、配電盤などに取り付けるための新しいランプが開口部から器具本体内に収納される。
【発明の効果】
【０００９】
請求項１に記載の発明によれば、ランプの頭部を把持する把持手段と、新しいランプなどを収納する器具本体とを備えたランプ交換器具であるため、ランプの寿命（ランプ切れ）を発見した際に、その場ですぐにランプを交換することができる。すなわち、把持手段によって古いランプを取り外し、器具本体内の新しいランプを把持手段によって取り付けることで、ランプ交換を迅速に行える。このため、車内などまで新しいランプを取りに行く必要がなくなり、ランプの交換作業を効率良く行うことができる。つまり、本ランプ交換器具を携帯していれば、いつでもすぐにランプを交換できるものである。しかも、新しいランプや古いランプを器具本体内に収納することで、ランプがかさばったり、ランプが割れてしまうおそれがない。
【００１０】
請求項２に記載の発明によれば、器具本体内に収納された新しいランプを押出手段によって先端側に押し出すことで、新しいランプの頭部が把持手段によって把持されるため、新しいランプを器具本体内から取り出すことなく、新しいランプの頭部を把持手段で把持できる。このため、ランプの交換作業をより効率良く行うことができる。
【００１１】
請求項３に記載の発明によれば、取り外した古いランプや新しいランプが開口部から器具本体内に収納されるため、開口部から収納した（後端側に位置する）ランプと先端側（把持手段側）に位置するランプとが隔離され、これらのランプが混同することが防止される。
【発明を実施するための最良の形態】
【００１２】
以下、本発明を図示の実施形態に基づいて説明する。
【００１３】
図１は、本発明の実施形態に係わるランプ交換器具１を示す正面図（ａ）と平面図（ｂ）である。このランプ交換器具１は樹脂製で、ランプＬを収納する器具本体２と、ランプをスライドさせる（押し出す）スライダ３（押出手段）とを備えている。
【００１４】
器具本体２は略円筒状で、軸方向に沿ってスリット２ａが形成されて、断面がＣ字形となっている。この器具本体２の先端部２ｂは、先端につれて径が細い先細に形成され、３つの切欠き２ｃが形成されている。すなわち、器具本体２の軸線を中心にスリット２ａを９０度づつ回転させた位置に切欠き２ｃが形成されている。さらに、器具本体２の先端部２ｂの内面には、滑り止めのための凹凸（図示せず）が形成されている。そして、これらの先細形状と切欠き２ｂと凹凸とによって、ランプＬの頭部Ｌ１を把持する把持手段が構成されている。すなわち、器具本体２の先端の内径は、ランプＬの頭部Ｌ１の外径よりもやや小さく設定され、器具本体２の先端部２ｂ内にランプＬの頭部Ｌ１を押し込むと切欠き２ｂが開いて、先端部２ｂの反力によって頭部Ｌ１が把持されるとともに、凹凸によって頭部Ｌ１が強固に把持されるようになっている。また、器具本体２の先端部２ｂ以外の内径は、ランプＬの最大径である頭部Ｌ１の外径よりもやや大きく設定されている。そして、図示のように、頭部Ｌ１とネジ部Ｌ２とが器具本体２のほぼ軸線上に位置した状態で（一直線状に）、複数のランプＬを器具本体２内に収納でき、かつ、ランプＬが器具本体２内を軸方向に沿って移動できるようになっている。さらに、ランプＬに外力がかかっていない状態で、器具本体２の先端部２ｂ側に位置するランプＬが、器具本体２の先端との間に一定の空隙２ｄを確保して留まるように、先端部２ｂの先細形状（内径）が設定されている。そして、この空隙２ｄは、ランプＬの頭部Ｌ１を収容できる大きさに設定されている。
【００１５】
器具本体２の後端は、略円筒の端である開口部２ｅとなっており、この開口部２ｅからランプＬを器具本体２内に収納できるようになっている。また、器具本体２の後端部２ｆの内面には、滑り止めのための凹凸（図示せず）が形成され、後述するように、ランプＬを開口部２ｅから後端部２ｆ内に収納した際に、ランプＬが抜け出るのを防止する仮止めとして機能するようになっている。さらに、器具本体２の後端部２ｆには、クリップ４が取り付けられ、作業着のポケットの縁などにクリップ４を挟むことで、ランプ交換器具１がポケットなどから落ちないようになっている。
【００１６】
スライダ３は、図２に示すように、リング状の外輪５と、略円板状の押板６とから構成されている。外輪５の内径は、器具本体２の外径よりもやや大きく設定され、外輪５内に器具本体２が挿入されるようになっている。押板６の外径は、器具本体２の内径よりもやや小さく設定され、器具本体２内に押板６が挿入されるようになっている。また、押板６には、円形外に突出したつまみ６ａが形成され、外輪５には、このつまみ６ａが貫通される貫通孔５ａが形成されている。このような構成で、押板６が器具本体２内に位置し、外輪５が器具本体２外に位置して、つまみ６ａが器具本体２のスリット２ａと外輪５の貫通孔５ａとを貫通した状態で、スライダ３が器具本体２に装着されている。そして、つまみ６ａを持ってスライダ３を器具本体２の軸方向に沿ってスライド（移動）させることで、器具本体２内に収納されたランプＬが軸方向にスライドされる（押し出される）ようになっている。すなわち、スライダ３を器具本体２の先端側にスライドさせると、先端部２ｂ側に位置するランプＬが先端側に押し出され、ランプＬの頭部Ｌ１が先端部２ｂ（把持手段）によって把持される。また、スライダ３を器具本体２の後端側にスライドさせると、後端部２ｆ内に収納されているランプＬが器具本体２外に押し出されるようになっている。
【００１７】
次に、このような構成のランプ交換器具１を用いてランプ交換を行う手順について、図３〜１０に基づいて説明する。なお、本実施形態では、配電盤Ｈに配設されたランプＬを交換する場合について説明する。
【００１８】
まず、器具本体２内に新しいランプＬを収納する。すなわち、スライダ３を器具本体２の後端側にスライドさせて器具本体２から取り外し、開口部２ｅから新しいランプＬを器具本体２内に収納する。このとき、ランプＬの頭部Ｌ１が器具本体２の後端側に位置するように収納する。そして、再び、スライダ３を器具本体２に装着する。この状態では、上記のように、器具本体２の先端部２ｂ側に位置するランプＬと、器具本体２の先端との間には空隙２ｄが確保されている。次に、図３に示すように、配電盤Ｈに配設されているランプＬ（図中頭部Ｌ１に「×」が付されたランプで、以下、適宜「古いランプ」という）を器具本体２の先端部２ｂ内に押し込むと、上記のように、先端部２ｂ（把持手段）によって古いランプＬの頭部Ｌが把持される。この状態で、図４に示すように、器具本体２をその軸線を中心に回す（操作する）と、古いランプＬも回ってネジ部Ｌ２が外れ、古いランプＬが配電盤Ｈから取り外れる。そして、図５に示すように、この古いランプＬを器具本体２の先端部２ｂから抜き取り、図６に示すように、スライダ３を器具本体２の先端側にスライドさせて、上記のように、器具本体２内の新しいランプＬの頭部Ｌ１を先端部２ｂ（把持手段）で把持させる。また、図７に示すように、抜き取った古いランプＬを器具本体２の開口部２ｅから後端部２ｆ内に収納する。
【００１９】
続いて、図８に示すように、器具本体２の先端部２ｂに把持された新しいランプＬのネジ部Ｌ２を配電盤Ｈのネジ部（雌ネジ部）に挿入し、器具本体２をその軸線を中心に回す（操作する）。これにより、新しいランプＬも回ってネジ部Ｌ２がねじ込まれ、新しいランプＬが配電盤Ｈに取り付けられる。そして、図９に示すように、スライダ３を器具本体２の後端側にスライドさせると、後端部２ｆ内に収納されている古いランプＬが開口部２ｅから取り出される。また、器具本体２内の新しいランプＬが減ってきた場合には、上記と同様にしてスライダ３を器具本体２から取り外し、図１０に示すように、開口部２ｅから新しいランプＬを器具本体２内に収納して、再び、スライダ３を器具本体２に装着すればよい。
【００２０】
以上のように、本ランプ交換器具１によれば、ランプＬの頭部Ｌ１を把持する把持手段（先端部２ｂ）と、新しいランプＬなどを収納する器具本体２とを備えているため、ランプＬの寿命（ランプ切れ）を発見した際に、その場ですぐにランプＬを交換することができる。すなわち、上記のようにして、把持手段によって古いランプＬを取り外し、器具本体２内の新しいランプＬを把持手段によって取り付けることで、ランプ交換を迅速に行える。このため、車内などまで新しいランプＬを取りに行く必要がなくなり、ランプＬの交換作業を効率良く行うことができる。つまり、本ランプ交換器具１を携帯していれば、いつでもすぐにランプＬを交換できるものである。しかも、器具本体２内に収納された新しいランプＬをスライダ３によって先端側に押し出すことで、新しいランプＬの頭部Ｌ１が把持手段によって把持されるため、新しいランプＬを器具本体２内から取り出すことなく、新しいランプＬの頭部Ｌ１を把持手段で把持できる。このため、ランプＬの交換作業をより効率良く行うことができる。
【００２１】
また、新しいランプＬや古いランプＬを器具本体２内に収納できるため、ランプＬがかさばったり、ランプＬが割れてしまうおそれがない。しかも、上記のように、一直線状に複数のランプＬが器具本体２内に収納されるため、ランプＬをコンパクトに収納できる。このため、ランプ交換器具１の大きさも小さくなり、例えばペン型にすることができ、作業者が常時携帯することが可能となる。さらに、取り外した古いランプＬを器具本体２の開口部２ｅから後端部２ｆ内に収納するため、スライダ３によって新しいランプＬと古いランプＬとが隔離され、これらのランプＬが混同することが防止される。
【００２２】
以上、この発明の実施形態について説明したが、具体的な構成は、本実施形態に限られるものではなく、この発明の要旨を逸脱しない範囲の設計の変更等があっても、この発明に含まれる。例えば、本実施形態では、器具本体２の先端部２ｂの先細形状と切欠き２ｂと凹凸とによって把持手段を構成しているが、ランプＬの頭部Ｌ１をクランプするクランプ機構によって把持手段を構成するようにしてもよい。
【図面の簡単な説明】
【００２３】
【図１】本発明の実施形態に係わるランプ交換器具の正面図（ａ）と平面図（ｂ）である。
【図２】本発明の実施形態に係わるランプ交換器具のスライダ周辺を示す正面図（ａ）とその右側面図（ｂ）である。
【図３】本発明の実施形態に係わるランプ交換器具を古いランプに装着する状態を示す図である。
【図４】本発明の実施形態に係わるランプ交換器具によって古いランプを取り外す状態を示す図である。
【図５】本発明の実施形態に係わるランプ交換器具から古いランプを抜き取った状態を示す図である。
【図６】本発明の実施形態に係わるランプ交換器具のスライダを先端側にスライドさせた状態を示す図である。
【図７】本発明の実施形態に係わるランプ交換器具に古いランプを収納する状態を示す図である。
【図８】本発明の実施形態に係わるランプ交換器具によって新しいランプを取り付ける状態を示す図である。
【図９】本発明の実施形態に係わるランプ交換器具から古いランプを取り出す状態を示す図である。
【図１０】本発明の実施形態に係わるランプ交換器具に新しいランプを収納する状態を示す図である。
【図１１】従来のランプ交換器具を古いランプに装着する状態を示す図である。
【図１２】従来のランプ交換器具によって古いランプを取り外す状態を示す図である。
【符号の説明】
【００２４】
１          ランプ交換器具
２          器具本体
２ａ        スリット
２ｂ        先端部（把持手段）
２ｃ        切欠き（把持手段）
２ｄ        空隙
２ｅ        開口部
２ｆ        後端部
３          スライダ（押出手段）
４          クリップ
５          外輪
６          押板
Ｌ          ランプ
Ｌ１        頭部
Ｌ２        ネジ部
Ｈ          配電盤
【図１】
2008004509.tif 000003
【図２】
2008004509.tif 000004
【図３】
2008004509.tif 000005
【図４】
2008004509.tif 000006
【図５】
2008004509.tif 000007
【図６】
2008004509.tif 000008
【図７】
2008004509.tif 000009
【図８】
2008004509.tif 000010
【図９】
2008004509.tif 000011
【図１０】
2008004509.tif 000012
【図１１】
2008004509.tif 000013
【図１２】
2008004509.tif 000014